(57)【要約】  【課題】ヘッド部に開閉式の上蓋を有する打ち込み工具において、安全装置のロックを解除し難くして安全機能を向上させる。  【手段】ヘッド部３は、下ブロック１１と回動式の上蓋１２とを備えている。安全装置の一部を構成するプローブ１５は、下ブロック１１の上面に重なったスライド部１５ａと、その先端に設けたノーズ１６と、片側のスライド部１５ａに折り曲げ形成した横向き折り曲げ部１５ｂとを備えている。下ブロック１１と上蓋１２とに、後退したノーズ１６を囲うシュラウド部２３が形成されており、下ブロック１１には、開蓋状態でプローブ１５を後退動不能に保持するストッパー２７が設けられている。更に、本体カバー８に、プローブ１５の横向き折り曲げ部１５ｂへのアクセスを不可能とする被覆部４９を形成している。【選択図】        図２
2006315116.tif 000002
【特許請求の範囲】
【請求項１】
ファスナーをワークに打ち込むロッドを駆動するピストンが内蔵された本体と、前記ファスナー及びロッドの前進動をガイドするように本体に設けたヘッド部と、後退位置にあるロッドの前方にファスナーを１本ずつ供給するためのマガジンと、ワークに当接して後退動することによって前記ロッドの前進動を可能ならしめるプローブとを備えており、
前記ヘッド部は、前記本体又はマガジン若しくは両方に固定された下ブロックと、下ブロックに上方から重なる開閉自在な上蓋とを備えており、前記プローブは、下ブロックと上蓋との間に前後移動自在に配置されたスライド部と、下ブロック及び上蓋から前向きに突出した露出部とを有しており、露出部が後退動すると安全装置のロックが解除される打ち込み工具であって、
前記下ブロックの先端部と上蓋の先端部とのうち少なくともいずれか一方に、前記プローブの露出部が後退し切ると当該露出部の全部又は大部分が隠れるシュラウド部を設けている、
打ち込み工具。
【請求項２】
ファスナーをワークに打ち込むロッドを駆動するピストンが内蔵された本体と、前記ファスナー及びロッドの前進動をガイドするように本体に設けたヘッド部と、後退位置にあるロッドの前方にファスナーを１本ずつ供給するためのマガジンと、ワークに当接して後退動することによって前記ロッドの前進動を可能ならしめるプローブとを備えており、
前記ヘッド部は、前記本体又はマガジン若しくは両方に固定された下ブロックと、下ブロックに上方から重なる開閉自在な上蓋とを備えており、前記プローブは、下ブロックと上蓋との間に前後移動自在に配置されたスライド部と、下ブロック及び上蓋から前向きに突出した露出部とを有しており、露出部が後退動すると安全装置のロックが解除される打ち込み工具であって、
前記下ブロックに、上蓋を閉じた状態ではプローブと干渉することなくプローブの後退動を許容し、上蓋が開けられるとプローブを後退動不能に保持するストッパーを設けている、
打ち込み工具。
【請求項３】
ファスナーをワークに打ち込むロッドを駆動するピストンが内蔵された本体と、前記ファスナー及びロッドの前進動をガイドするように本体に設けたヘッド部と、後退位置にあるロッドの前方にファスナーを１本ずつ供給するためのマガジンと、ワークに当接して後退動することによって前記ロッドの前進動を可能ならしめるプローブとを備えており、
前記ヘッド部は、前記本体又はマガジン若しくは両方に固定された下ブロックと、下ブロックに上方から重なる開閉自在な上蓋とを備えており、前記プローブは、下ブロックと上蓋との間に前後移動自在に配置されたスライド部と、下ブロック及び上蓋から前向きに突出した露出部と、スライド部の後端に形成した横向き折り曲げ部とを有しており、露出部が後退動すると安全装置のロックが解除されるようになっている打ち込み工具であって、
前記ヘッド部を側方から覆うカバーか又は前記下ブロックに、前記プローブの横向き折り曲げ部を上方から覆う被覆部が設けられている、
打ち込み工具。
【請求項４】
前記プローブは、ヘッド部の側方に位置してカバーで覆われた部位において前後方向に延びる後ろ向き水平部を備えており、この後ろ向き水平部の近傍に、カバーに設けた窓穴を介して外側から回転操作し得る打ち込み深さ調節用のダイアルが設けられており、前記プローブには、前記ダイアルの回転によってプローブの前後位置を変更させる中間部材が、前記カバーの窓穴から押し操作できない状態に設けられている、
請求項１〜３のうちのいずれかに記載した打ち込み工具。
【発明の詳細な説明】
【技術分野】
【０００１】
本願発明は、釘やピン、鋲等のファスナー類を打ち込むための打ち込み工具に関するものである。
【背景技術】
【０００２】
釘打ち機やピン打ち機のように一般に広く使用されている打ち込み工具をその駆動源から見ると、圧縮空気を使用したエアー式のものと、ガスの燃焼圧を利用したガス式のものとに分けられる。ガス燃焼式の打ち込み工具はコンプレッサが不要であるため機動性に優れており、また、ホースが接続されていないため作業性も良い利点を有する。エアー式にしてもガス燃焼式にしても、多数の特許文献が存在している（ガス燃焼式の打ち込み工具としては、例えば、本願出願人の出願に係る特許文献１参照）。
【０００３】
ガス燃焼式の釘打ち機の一例を図１１に示している。この図１１（Ａ）に示すように、釘打ち機は、シリンダ２が内蔵された本体１と、本体の前部に設けたヘッド部３と、本体１及びヘッド部３に取り付いたマガジン４とを備えており、本体１には、グリップ１ａとトリガー５を設けている。シリンダ２にはピストン６が摺動自在に嵌まっており、ピストン６には、釘ｎを打ち込むためのロッド７が設けられている。釘ｎとロッド７はヘッド部３に案内されて前進動する。シリンダ２は本体カバー（ハウジング）８で覆われており、シリンダ２の後方に燃焼室が形成されている。
【０００４】
本例では、多数本の釘ｎを並列に並べて紙テープで連結することによって全体として帯状の形態を成す連結釘Ｎが形成されており（隣合った釘ｎを接着剤で接着したものもある）、マガジン４に装填された連結釘ｎは、定格出力ばねで引っ張られているプッシャー（フォロアー）１０でヘッド部３に向けて押されている。
【０００５】
ヘッド部３は、本体１及びマガジン４に固定された下ブロック１１と、下ブロック１１に上方から重なる上蓋１２とを備えており、上蓋１２は、その後部を中心にして跳ね上げ回動し得るように本体１にピン１３（図11(B) 参照）で連結されており、クリップ装置１４により、閉じた状態に保持される。
【０００６】
釘打ち機は、釘ｎの空打ち（空中発射）を防止するための安全装置を備えており、トリガー５を引いただけでは釘ｎを発射することはできない。安全装置は、ワークＷに当たって後退するプローブ１５を備えている。プローブ１５の先端はワークＷに当たるノーズ１６になっており、ノーズ１６がワークＷに当たって一定寸法だけ後退すると、安全装置のロックが解除されて、トリガー５を引くとピストン６が前進動する。
【０００７】
プローブ１５の後退動によって安全装置のロックを解除する機構は様々であり、例えば、プローブ１５の後退動により、シリンダ２の後部を覆うケーシングが後退して燃焼室９が密閉されると共にガスの供給通路を閉じていた弁が開くように構成したり、プローブ１５の後退動により、点火プラグに電力を供給する回路が通電するように構成したり、或いは、プローブの後退動により、トリガーを引き不能に保持していたロック部材をロック解除姿勢に変えたりしている。
【特許文献１】特開２００４−１６７６４９号公報
【発明の開示】
【発明が解決しようとする課題】
【０００８】
この図１１のような開閉式の上蓋１２を有する釘打ち機は、釘の詰まりやテープ滓の詰まりを簡単に除去できる利点を有する。
【０００９】
他方、このタイプの従来の釘打ち機は、プローブ１５は下ブロック１１及び上蓋１２の外側に広い範囲にわたって露出しており、ノーズ１６は後退し切った状態で下ブロック１１及び上蓋１２の前方に露出していた。このため、ノーズ１６を左右両側から指で摘んで後退させて安全装置のロックを簡単に解除できる問題があった。
【００１０】
特に、ガス燃焼式の釘打ち機は、その機動性の高さ故に高い安全性が求められていることから、所有者といえども簡単にはロックを解除できないようにすることが要請されていることから、ノーズ１６をワークＷに押し当てない限りロックが解除されない構造が求められていた（第１の課題）。
【００１１】
また、このタイプの釘打ち機では、下ブロック１１と上蓋１２との間にプローブ１５が介在しており、両者に形成したガイド溝にプローブ１５のスライド部がスライド自在に嵌まっており、プローブ１５はいったん横向きに延びるように曲がってから、下ブロック１１の側面に沿って下方に延びた形状になっているが、上蓋１２を空けるとプローブ１５の屈曲部が露出するため、例えばドライバのような細い物で横向きの折り曲げ部を押すことによってプローブ１５を後退させることが可能であった。そこで、開蓋状態においてプローブを後退動操作できないようにして安全性を向上させることが要請されていた（第２の課題）。
【００１２】
図１１（Ｂ）はヘッド部３の左側面図であり、この図に示すように、下ブロック１１の左側面に沿って下向きに延びるプローブ１５は、向きを水平状に変えて後方に延びており、この後ろ向きの水平部にダイアル１７を設け、ダイアル１７の回転によってプローブ１５の前後位置を調節することより、釘ｎの打ち込み深さを調節するようになっている（プローブ１５が後退し切った状態で、ノーズ１６の先端とロッド７の先端との相対的な前後位置が変わることにより、ワークＷに対するロッド７の前進距離が変化し、その結果、釘ｎの打ち込み深さが変わる）。
【００１３】
そして、ダイアル１７は本体カバー８の前部で覆われていて、本体カバー８にプローブ１５を露出させる窓穴１８が空いているのであるが、本体カバー８の窓穴１８からダイアル１７を例えばドライバーで押すことによってプローブ１５を後退させてロックを解除することも可能であり、この点も安全性向上の点から改善が要請されていた（第３の課題）。
【００１４】
本願発明は、これらの要請に応えることを目的とするものである。
【課題を解決するための手段】
【００１５】
請求項１の発明は第１の課題に応えるものである。この発明の打ち込み工具は、基本構成として、ファスナーをワークに打ち込むロッドを駆動するピストンが内蔵された本体と、前記ファスナー及びロッドの前進動をガイドするように本体に設けたヘッド部と、後退位置にあるロッドの前方にファスナーを１本ずつ供給するためのマガジンと、ワークに当接して後退動することによって前記ロッドの前進動を可能ならしめるプローブとを備えており、前記ヘッド部は、前記本体又はマガジン若しくは両方に固定された下ブロックと、下ブロックに上方から重なる開閉自在な上蓋とを備えており、前記プローブは、下ブロックと上蓋との間に前後移動自在に配置されたスライド部と、下ブロック及び上蓋から前向きに突出した露出部とを有しており、露出部が後退動すると安全装置のロックが解除されるようになっている。
【００１６】
そして、特徴的構成として、前記下ブロックの先端部と上蓋の先端部とのうち少なくともいずれか一方に、前記プローブの露出部が後退し切ると当該露出部の全部又は大部分が隠れるシュラウド部を設けている。
【００１７】
請求項２の発明は、第２の課題に応えるものであり、請求項１と同様の基本構成において、前記下ブロックに、上蓋を閉じた状態ではプローブと干渉することなくプローブの後退動を許容し、上蓋が開けられるとプローブを後退動不能に保持するストッパーを設けている。
【００１８】
請求項３の発明も第２の課題に応えるものであり、釘打ち機は、請求項１の基本構成に加えて、前記プローブは、スライド部の後端に形成した横向き折り曲げ部とを有しており、露出部が後退動すると安全装置のロックが解除されるようになっている。そして、前記ヘッド部を側方から覆うカバーか又は前記下ブロックに、前記プローブの横向き折り曲げ部を上方から覆う被覆部が設けられている点を特徴にしている。
【００１９】
請求項４の発明は第３の課題に応えるものであり、請求項１〜３のいずれかにおいて、前記プローブは、ヘッド部の側方に位置してカバーで覆われた部位において前後方向に延びる後ろ向き水平部を備えており、この後ろ向き水平部の近傍に、カバーに設けた窓穴を介して外側から回転操作し得る打ち込み深さ調節用のダイアルが設けられており、前記プローブには、前記ダイアルの回転によってプローブの前後位置を変更させる中間部材が、前記カバーの窓穴から押し操作できない状態に設けられている。
【発明の効果】
【００２０】
請求項１の発明によると、プローブが後退して安全装置のロックが解除された状態でノーズはシュラウド部に隠れるため、人はロックが解除されるまでノーズを摘まみ続けることはできず、従って、人がノーズを指で摘んで後退させることによってロックを解除することはできない。このため、不注意等によってノーズを後退させてロックが解除されることに起因した事故を防止ができる。
【００２１】
この場合、下ブロックと上蓋とによってシュラウド部を構成すると、上蓋を開くと下ブロックのシュラウド部が上向きに開口するため、下ブロックの加工を簡単に行えると共に、プローブの取付けも簡単に行える利点がある。
【００２２】
請求項２のように構成すると、開蓋状態でプローブはストッパーによって後退動不能に保持され、また、請求項３のように構成すると開蓋状態でプローブの横向き折り曲げ部をドライバ等で押し操作（アクセス）することはできない。従って、請求項２，３のように構成すると、開蓋状態でロックを解除してファスナーを空中発射させる事態を防止又は著しく抑制することができる。
【００２３】
更に、請求項４のように構成すると、カバーの窓穴からプローブを押し操作することはできないため、ファスナーの打ち込み深さ調節機能を損なうことなく、安全性を向上させることができる。
【発明を実施するための最良の形態】
【００２４】
次に、本願発明の実施形態を図面に基づいて説明する。本実施形態は図１１と同じ釘打ち機に適用しており、基本的な構成は図１１と同じである。このため、図１１と同じ機能を有する部材は同じ符号を引用している。
【００２５】
(1).概要・シュラウド部
まず、図１〜図３に基づいて概要とシュラウド部とについて説明する。図１のうち（Ａ）は非打ち込み状態でのヘッド部３の右側面図、（Ｂ）は打ち込み状態でのヘッド部３の右側面図、図２はヘッド部３を構成する主要部材の分離斜視図、図３は図１（Ａ）の III-III視断面図である。
【００２６】
ヘッド部３は、マガジン４及び本体１に固定された下ブロック１１と、下ブロック１１に上方から重なる上蓋１２と、上蓋１２と下ブロック１１との間に介在したスライド部１５ａを有するプローブ１５とを備えている。
【００２７】
プローブ１５の大部分は丸棒からなっており、基本的な形態は従来と同じである。すなわち、プローブ１５は、前後方向に平行に延びる左右２本のスライド部１５ａを備えており、左右スライド部１５ａの前端は一体に連続していたこの先端部にゴム製や樹脂製のノーズ１６を装着している一方、片側（釘打ち機の正面視で左側）に位置したスライド部１５ａの後端に水平外向きの横向き折り曲げ部１５ｂを形成し、更に、横向き折り曲げ部１５ｂに下ブロック１１の外側面に沿って下方に延びる下向き折り曲げ部１５ｃを折り曲げ形成し、更に、下向き折り曲げ部１５ｃの下端には後方に延びる後ろ向き水平部１５ｄを設けている。
【００２８】
ノーズ１６は正面視で上向き開口のコ字状に形成されており、スライド部１５ａの先端は側面視で下向きに傾斜している。他方、プローブ１５のうち後ろ向き水平部１５ｄには雄ねじを形成している。
【００２９】
下ブロック１１は金属製で前後方向に長く延びており、図１（Ａ）に示すように、その後端部が本体１の支持部２０にボルト２１で固定されている。下ブロック１１の上面には、プローブ１５のスライド部１５ａが嵌まる上向き開口で略半円状の下ガイド溝２２が形成されており、先端部には、ノーズ１６が嵌まり込み得る正面視上向き開口コ字状の下シュラウド部２３ａが一体に形成されている。
【００３０】
下ブロック１１には、マガジン４に装填した連結釘Ｎの先頭に位置した釘ｎを１本だけ露出させるための釘ガイド用長穴２４が前後方向に延びるように形成されている。釘ガイド用長穴２４には、釘ｎの頭が抜け出るための広幅部２４ａが複数形成されている。本実施形態では、釘ｎは下ブロック１１の上面に沿って前進動するようになっており、下ブロック１１には、下シュラウド部２３ａの箇所に張り出す庇状のフロントガイド１１ａが形成されている。
【００３１】
また、下ブロック１１には、プローブ１５のスライド部１５ａの略下半部がスライド自在に嵌まる上向き開口の下ガイド溝２５と、プローブ１５の横向き折り曲げ部１５ｂが前後移動することを許容するための横向き切り開き部２６を形成している。横向き切り開き部２６の前後中途部には、開蓋時にプローブ１５を後退動不能に保持するストッパー２７が配置されている。この点は後述する。
【００３２】
下ブロック１１のうち横向き切り開き部２６の手前側には、上蓋１２を閉じた状態に保持するための鉤部２８が形成されている。鉤部２８はその上部が前向きに突出した形態になっている。
【００３３】
上蓋１２の前端部は上シュラウド部２３ｂになっており、上蓋１２の上シュラウド部２３ｂと下ブロック１１の下シュラウド部２３ａとが重なり合うことにより、前向きに開口したシュラウド部２３が構成され、打ち込み時にはノーズ１６の大部分がシュラウド部２３に入り込むようになっている。このため、人が指でノーズ１６を摘んでロック位置まで後退させることはできない。なお、ノーズ１６の先端に指を当てるとプローブ１５を後退させ切ることができるが、かくすると人は釘の打ち出しによって怪我する可能性が極めて高くなる。従って、怪我する危険を冒してまでノーズ１６を後退させることは事実上ないと言える。
【００３４】
下シュラウド部２３ａの左右両側部には外向きに広がる段部２９が形成されている一方、上シュラウド部２３ｂの左右両側部には、前記段部２９に嵌まる足部３０が形成されており、このため、上蓋１２と下ブロック１１と左右ずれ不能に保持されている。また、上下シュラウド部２３ａ，２３ｂの間に隙間が開くことはないため、例えば横向きにした薄板でノーズ１６を押し下げながら薄板を上下シュラウド部２３ａ，２３ｂの間に差し込むことによってロックを解除するということはできず、このためロック機能がより向上している。
【００３５】
(2).上蓋の開閉構造
次に、図４及び図５も参照して上蓋１２の開閉構造を説明する。図４のうち（Ａ）はヘッド部３の平面図、（Ｂ）は上蓋１２の開閉構造を説明するための分離平面図、（Ｂ）は上蓋１２の開閉構造を説明するための分離平面図、図５のうち（Ａ）は図４の VA-VA視断面図、（Ｂ）は釘ｎの打ち込み状態でのヘッド部３の縦断側面図である（図５ではマガジン４は省略している。）。
【００３６】
上蓋１２の後端部には上向きに突出した第１軸受け３１が形成されている一方、本体１を構成する本体カバー８（又は本体ブロック）には、第１軸受け３１の左右外側に位置する固定軸受け３２（図１参照）が形成されており、これら固定軸受け３２と第１軸受け３１とに第１支軸３３を挿通することにより、上蓋１２を跳ね上げ回動できるようになっている。
【００３７】
この場合、図５（Ｂ）に示すように、第１支軸３３を通すために固定軸受け３２に設けた穴３４は、手前側と下方とにえぐった状態の側面視逆Ｌ字状に形成されている。このため、上蓋１２は、手前にずらしてから後方に跳ね上げることにより、後端面１２ａを下ブロック１１の上面に重ねて起立状態に保持することができる。
【００３８】
クリップ装置１４は、ばね体３５とリンク３６とレバー３７とを備えている。ばね体３５は板ばね製で下ブロック１１の左右鉤部２８の間に位置するようになっており、その先端には、下ブロック１１の左右鉤部２８に係脱し得る係止ピン３８を固定している。ばね体３５は前後方向に伸び変形しうるように側面視で弓形に湾曲している。
【００３９】
リンク３６は、上蓋１２に形成した左右の第２軸受け３９の間に位置する筒体４０の左右両端に後ろ向きの側板４１を固着した形態になっており、筒体４０は第２支軸４２によって上蓋１２の第２軸受け３９に連結されている。レバー３７は左右の側板３７ａを備えており、レバー３７の左右側板３７ａとリンク３６の左右側板４１とばね体３５の後端部とが第３軸４３によって一体に連結されている。
【００４０】
そして、上蓋１２を閉じた状態で係止ピン３８を下ブロック１１の鉤部２８に前方から嵌め入れて、その状態でレバー３７を後方に倒すと、第１支軸３３が固定軸受け３２で前向き移動不能に保持された状態で係止ピン３８がばね体３５を介して後方に引かれる。また、第３支軸４３が第２支軸４２よりも下方に移動するいわゆる支点超えにより、リンク３６は後方に倒れた状態に保持されて、ばね体３５の弾性力によって閉蓋状態が保持される。レバー３７を手前に倒してリンク３６を手前に倒すと、係止ピン３８は鉤部２８から離脱して上蓋１２を開くことができる。
【００４１】
上蓋１２の下面には、打ち込みに際して釘ｎとロッド７とを案内する第１ガイド溝４４と、プローブ１５のスライド部１５ａの略上半部がスライド自在に嵌まる下向き開口の第２ガイド溝４５とが形成されている。本実施形態の釘打ち機は仕上げ釘（フィニッシュネイル）用であることから、図３に示すように、ロッド７及び第１ガイド溝４４は断面四角形（長方形）に形成されている。言うまでもないが、ロッド７は円形でも良い。また、第１ガイド溝４４を下ブロック１１のみに形成したり、第１ガイド溝４４を下ブロック１１と上蓋１２とに半分ずつ形成するなどしても良い。
【００４２】
(3).ストッパー・被覆部・打ち込み深さ調節機構
次に、図６以下の図面も参照して、プローブ１５に対するストッパー及び被覆部、並びに釘ｎの打ち込み深さ調節機構を説明する。図６のうち（Ａ）は上蓋１２を省略した状態での平面図、（Ｂ）は上蓋１２を閉じた状態での左側面図（但し、クリップ装置は省略している）、図７のうち（Ａ）はプローブ１５を後退させた状態での図６の VII-VII視断面図、（Ｂ）は（Ａ）をＢ−Ｂ視方向から見た作用説明図、図８は本体カバー８を省略した状態での左側面図、図９は図８の IX-IX視断面図、図１０は図８及び図９の X-X視断面図である。
【００４３】
既述のとおり、下ブロック１１にはプローブ１５の横向き折り曲げ部１５ｂが前後動することを許容するための横向き切り開き部２６が形成されている。そして、例えば図２や図６（Ａ）に示すように、横向き切り開き部２６のうち、プローブ１５が前進し切った状態で横向き折り曲げ部１５ｂの真後ろに位置する部位にストッパー２７を配置している。
【００４４】
図７（Ａ）に示すように、ストッパー２７は、下ブロック１１に形成した穴４７に上下動自在でかつ抜け不能に嵌め込まれており、ばね４８で上向きに押されている。そして、ストッパー２７のうちプローブ１５よりも奥側の部位（釘ガイド用長穴２４に寄った部位）に上向きの突起部を形成しており、上蓋１２を閉じた状態ではばね４８に抗して下向きに押されることにより、プローブ１５の横向き折り曲げ部１５ｂがストッパー２７の後方にスライドすることが許容されている。また、上蓋１２を開くと、図７（Ｂ）に示すように、ストッパー２７はばね４８によって上向きに突出し、このためプローブ１５は後退動不能に保持される。
【００４５】
ヘッド部３の左側面の大部分は本体カバー８で覆われているが、図６（Ａ）や図７に示すように、本体カバー８の上端部には、下ブロック１１の横向き切り開き部２６に入り込む被覆部（フランジ部）４９を形成して、被覆部４９によってプローブ１５の横向き折り曲げ部１５ｂを上方から覆っている。言うまでもないが、上蓋１２は被覆部４９と干渉しないうように形成されている（なお、上蓋１２のうち平面視で被覆部４９と重なる部分を切り開くことも可能である）。
【００４６】
仮に、横向き折り曲げ部１５ｂが外側に露出していると、この横向き折り曲げ部１５ｂをドライバー等の細い物で押すことによって安全装置のロックを解除することができるが、本願発明ではプローブ１５の横向き折り曲げ部１５ｂは開蓋状態においても被覆部４９で覆われているため、横向き折り曲げ部１５ｂを押してロックを解除することはできない。本実施形態のように被覆部４９とストッパー２７とを併用すると、プローブ１５を人為的に後退させることはより困難になるため好適である。
【００４７】
既述のとおり、プローブ１５の後ろ向き水平部１５ｄには雄ねじが形成されており、図８〜９に示すように、プローブ１５の後ろ向き水平部１５ｄに、請求項４に記載した中間部材の一例として、前後方向に長く延びるロングギア５０がねじ込まれている。また、プローブ１５の後ろ向き水平部１５ｄの後端には小径部１５ｅが形成されており、この小径部１５ｅが、安全装置の一環をなす連動部材５１に嵌まっている。ロングギア５０の後端は連動部材５１に当接している。詳細は省略するが、連動部材５１がプローブ１５で押されて所定寸法だけ後退すると、安全装置のロックが解除される。
【００４８】
ロングギア５０には、本体カバー８の外側から人が指で回転操作できる調節用のダイアル５２が噛み合っている。ダイアル５２は本体カバー８に設けた囲い部５３で囲われており、人が指で操作できる範囲だけが窓穴５４から外側に露出している。ダイアル５２は囲い部５３に回転自在で前後動不能に保持されている。ロングギア５０は長さが長いため、プローブ１５が後退してもロングギア５０とダイアル５２との噛み合いは保持されている。
【００４９】
なお、囲い部５３は本体カバー８とは別体に製造して、これを本体カバー８に溶接やねじ止めで固着しても良い。また、後ろ向き水平部１６ｄと他の部位とを別々の部材で構成すくことも可能である。
【００５０】
ダイアル５２を回転させるとロングギア５０が逆方向に回転し、プローブ１５が前後方向に移動する。他方、ロッド７の前後動ストロークと連動部材５１の前後動ストロークは一定であるため、プローブ１５が前後動すると、前進し切った状態でのロッド７の先端とノーズ１６の先端との相対的な前後位置が変化し、これにより、釘ｎの打ち込み深さが変わる。
【００５１】
そして、打ち込み深さ調節機構を構成するロングギア５０は本体カバー８の囲い部５３で覆われているため、囲い部５３の窓穴５４からロングギア５０を押すことはできず、このため、打ち込み深さ調節機構の部材を操作してロックを解除することはできない。また、ダイアル５２を押してロックを解除することはできないため、ダイアル５２は人が回転操作しやすいように露出面積を大きくすることができ、このため、打ち込み深さの調節を楽に行うことができる。なお、ギアダイアル５２の回転は、他の変換機構によってプローブの１５の前後動に変換することも可能である。
【００５２】
(4).まとめ
以上説明したとおり、本実施形態の釘打ち機は、上蓋１２を閉じた状態でノーズ１６を摘んだり、或いは深さ調節機構の箇所にでプローブ１５を後退させたりすることはできず、また、開蓋状態でプローブ１５を後退操作させることも困難であるため、人が安全装置のロックを人為的に解除することは極めて困難であり、このため安全性を格段に向上することができる。
【００５３】
なお、開蓋状態でプローブ１５はその大部分が上向きに露出するが、ノーズ１６を左右両側から摘んで後退させようとしても下シュラウド部２３ａで邪魔されるためロック解除位置まで後退させることはできず、従って、開蓋状態であってもノーズ１６を指で後退させることは事実上不可能である（従って、下ブロック１１のみに実施形態のしたシュラウド部２３ａと同じ形態のシュラウド部を形成して、閉蓋状態でシュラウド部２３が上向きを開口させておくことも可能である）。
【００５４】
また、プローブ１５のスライド部１５ａは前後に延びているだけでドライバー等を引っ掛ける部分はないため、開蓋状態でプローブ１５のスライド部１５ａを押しやることも事実上できない。
【００５５】
(5).その他
以上、本願発明の一実施形態を説明したが、本願発明は他にも様々に具体化することができる。例えば、上蓋は跳ね上げ回動式には限らず、取り外しできるタイプであっても良い。
【００５６】
また、プローブは金属板製とするなど、その素材や形態は必要に応じて自由に設計したら良い。プローブの横向き折り曲げ部を覆う被覆部は、下ブロックに形成することも可能である。ダイアルは本体カバーとは異なるヘッド部専用のカバーで覆うことも可能である。また、ダイアルによってプローブを間接的に前後移動させることは、上蓋を備えていない打ち込み工具にも適用できる。
【図面の簡単な説明】
【００５７】
【図１】本願発明の実施形態に係る釘打ち機の要部の右側面図である。
【図２】ヘッド部を構成する主要部材の分離斜視図である。
【図３】図１(A) の III-III視断面図である。
【図４】(A) はヘッド部の平面図、(B) (C) は上蓋の開閉構造を説明するための図である。
【図５】(A) は図４の VA-VA視断面図、(B) は釘の打ち込み状態でのヘッド部の縦断側面図である。
【図６】(A) は上蓋を省略した状態での平面図、(B) は上蓋を閉じた状態での左側面図である。
【図７】(A) はプローブを後退させた状態での図６の VII-VII視断面図、(B) は(A) を B-B視方向から見た作用説明図である。
【図８】本体カバーを省略した状態での左側面図である。
【図９】図８の IX-IX視断面図である。
【図１０】図８及び図９の X-X視断面図である。
【図１１】従来の釘打ち機の右側面図である。
【符号の説明】
【００５８】
１  本体
２  シリンダ
３  ヘッド部
５  トリガー
６  ピストン
７  ロッド
８  本体カバー
１１  下ブロック
１２  上蓋
１５  プローブ
１５ａ  スライド部
１５ｂ  横向き折り曲げ部
１５ｄ  後ろ向き水平部
１６  ノーズ
２３  シュラウド部
２７  ストッパー
４９  被覆部
５０  ロングギア
５１  連動部材
５２  ダイアル
【図１】
2006315116.tif 000003
【図２】
2006315116.tif 000004
【図３】
2006315116.tif 000005
【図４】
2006315116.tif 000006
【図５】
2006315116.tif 000007
【図６】
2006315116.tif 000008
【図７】
2006315116.tif 000009
【図８】
2006315116.tif 000010
【図９】
2006315116.tif 000011
【図１０】
2006315116.tif 000012
【図１１】
2006315116.tif 000013